(57)【特許請求の範囲】
【請求項１】
ページング方法であって、
デュアルカード・デュアルスタンバイ・シングルパス・端末（ｄｕａｌ−ｃａｒｄ ｄｕａｌ−ｓｔａｎｄｂｙ ｓｉｎｇｌｅ−ｃｈａｎｎｅｌ ｔｅｒｍｉｎａｌ）に適用され、
上記ページング方法は、
上記デュアルカード・デュアルスタンバイ・シングルパス・端末がページングメッセージを受信するステップと、
上記デュアルカード・デュアルスタンバイ・シングルパス・端末が上記ページングメッセージを解析してコアネットワークドメイン名フィールドを得るステップと、
上記コアネットワークドメイン名フィールドの値タイプがパケット交換ドメインの音声サービスに対応されると、上記デュアルカード・デュアルスタンバイ・シングルパス・端末が、上記パケット交換ドメインの音声サービスに対応される優先レベルである第１優先レベルによって、上記ページングメッセージを処理するステップと
を含み、
上記パケット交換ドメインの音声サービスに対応される優先レベルによって、上記ページングメッセージを処理するステップは、
上記ページングメッセージの目標加入者識別モジュール（ＳＩＭ）が第１のＳＩＭカードであり、且つ、アンテナリソースを占用しているＳＩＭカードが第２のＳＩＭカードであると、上記第１優先レベルが、上記第２のＳＩＭカードの現在サービスに対応される優先レベルである第３優先レベルより高いか否かを検出するステップと、
上記第１優先レベルが上記第３優先レベルより高いと、上記第１優先レベルによって上記アンテナリソースを上記音声サービスに割り当てるステップと
を含む、
ことを特徴とするページング方法。
【請求項２】
上記パケット交換ドメインの音声サービスは、ボイス・オーバー・ ロング・ターム・エボリューション（ＶｏＬＴＥ）であり、上記コアネットワークドメイン名フィールドの値タイプは、パケット交換ドメイン（ＰＳ−ＶｏＬＴＥ）である
ことを特徴とする請求項１に記載のページング方法。
【請求項３】
上記第１優先レベルは、上記パケット交換ドメインのデータサービスに対応される優先レベルである第２優先レベルより高い
ことを特徴とする請求項１又は２に記載のページング方法。
【請求項４】
ページング装置であって、
上記ページング装置は、デュアルカード・デュアルスタンバイ・シングルパス・端末であり、
上記ページング装置は、
ページングメッセージを受信する受信モジュールと、
上記ページングメッセージを解析してコアネットワークドメイン名フィールドを得る処理モジュールと
を備え、
上記処理モジュールは、さらに、上記コアネットワークドメイン名フィールドの値タイプがパケット交換ドメインの音声サービスに対応されると、上記パケット交換ドメインの音声サービスに対応される優先レベルである第１優先レベルによって、上記ページングメッセージを処理し、
上記処理モジュールは、さらに、上記ページングメッセージの目標加入者識別モジュール（ＳＩＭ）が第１のＳＩＭカードであり、且つ、アンテナリソースを占用しているＳＩＭカードが第２のＳＩＭカードであると、上記第１優先レベルが、上記第２のＳＩＭカードの現在サービスに対応される優先レベルである第３優先レベルより高いか否かを検出し、上記第１優先レベルが上記第３優先レベルより高いと、上記第１優先レベルによって上記アンテナリソースを上記音声サービスに割り当てる
ことを特徴とするページング装置。
【請求項５】
上記パケット交換ドメインの音声サービスは、ボイス・オーバー・ ロング・ターム・エボリューション（ＶｏＬＴＥ）であり、上記コアネットワークドメイン名フィールドの値タイプは、パケット交換ドメイン（ＰＳ−ＶｏＬＴＥ）である
ことを特徴とする請求項４に記載のページング装置。
【請求項６】
上記第１優先レベルは、上記パケット交換ドメインのデータサービスに対応される優先レベルである第２優先レベルより高い
ことを特徴とする請求項４又は５に記載のページング装置。
【請求項７】
ページング装置であって、
上記ページング装置は、デュアルカード・デュアルスタンバイ・シングルパス・端末であり、
上記ページング装置は、
プロセッサと、
上記プロセッサが実行可能な命令を記憶するためのメモリと
を備え、
上記プロセッサは、
ページングメッセージを受信し、
上記ページングメッセージを解析してコアネットワークドメイン名フィールドを得るし、
上記コアネットワークドメイン名フィールドの値タイプがパケット交換ドメインの音声サービスに対応されると、上記パケット交換ドメインの音声サービスに対応される優先レベルである第１優先レベルによって、上記ページングメッセージを処理する
ように構成され、
上記パケット交換ドメインの音声サービスに対応される優先レベルによって、上記ページングメッセージを処理することは、
上記ページングメッセージの目標加入者識別モジュール（ＳＩＭ）が第１のＳＩＭカードであり、且つ、アンテナリソースを占用しているＳＩＭカードが第２のＳＩＭカードであると、上記第１優先レベルが、上記第２のＳＩＭカードの現在サービスに対応される優先レベルである第３優先レベルより高いか否かを検出することと、
上記第１優先レベルが上記第３優先レベルより高いと、上記第１優先レベルによって上記アンテナリソースを上記音声サービスに割り当てることと
を含む、
ことを特徴とするページング装置。
【請求項８】
ネットワークアクセスデバイス及び端末を備え、
上記端末は、請求項４乃至６の中のいずれか１項に記載のページング装置を含むか、
或いは、
上記端末は、請求項７に記載のページング装置を含む
ことを特徴とするページングシステム。
【請求項９】
プロセッサに実行されることにより、請求項１から請求項３のいずれか１項に記載のページング方法を実現することを特徴とするプログラム。
【請求項１０】
請求項９に記載のプログラムが記録された記録媒体。
【発明の詳細な説明】
【技術分野】
【０００１】
本発明は、通信分野に関し、特に、ページング方法、装置、システム、プログラム及び記録媒体に関する。
【背景技術】
【０００２】
ロングタームエボリューション技術（Ｌｏｎｇ Ｔｅｒｍ Ｅｖｏｌｕｔｉｏｎであり、ＬＴＥと省略する）ネットワークは、２Ｇ／３Ｇネットワークと比較すると、パケット交換ドメイン（Ｐａｃｋｅｔ Ｓｗｉｔｃｈ Ｄｏｍａｉｎであり、ＰＳドメインと省略する）のみを含み、回線交換ドメイン（Ｃｉｒｃｕｉｔ Ｓｗｉｔｃｈｅｄ Ｄｏｍａｉｎであり、ＣＳドメインと省略する）はない。ＬＴＥネットワークにおいて、マルチメディアサブシステム（ＩＰ Ｍｕｌｔｉｍｅｄｉａ Ｓｕｂｓｙｓｔｅｍであり、ＩＭＳと省略する）による音声サービス方案（Ｖｏｉｃｅ ｏｖｅｒ ＬＴＥであり、ＶｏＬＴＥと省略する）は、音声サービスを実現する解決策である。ＶｏＬＴＥは、ＬＴＥネットワーク又は４Ｇコアネットワーク（Ｅｖｏｌｕｔｉｏｎ Ｐａｃｋｅｔ Ｃｏｒｅであり、ＥＰＣと省略する）を協力して、端末から端末への、ＰＳドメインによる音声サービスを実現できる。
【０００３】
基地局は、端末をコールする際に、上記端末にページング（ｐａｇｉｎｇ）メッセージを送信することになる。上記ページングメッセージ中には、コアネットワークドメイン名（Ｃｏｒｅ ｎｅｔｗｏｒｋ−Ｄｏｍａｉｎであり、Ｃｎ−Ｄｏｍａｉｎと省略する）フィールドが付加されており、コアネットワークドメイン名フィールドの値は、ＰＳ或いはＣＳである。即ち、ＶｏＬＴＥを採用して音声コールすると、コアネットワークドメイン名フィールドの値は、ＰＳであり、２Ｇ／３Ｇ中の伝統的回路ドメインを採用して音声コールすると、コアネットワークドメイン名フィールドの値は、ＣＳである。
【発明の概要】
【０００４】
本発明は、情報送信方法、情報受信方法、装置、システム、プログラム及び記録媒体を提供する。上記の構成は、以下のとおりである。
【０００５】
本発明の実施例に係る第１の態様によると、ページング方法を提供する。
上記ページング方法は、
パケット交換ドメインを採用する音声サービスの着呼端末の識別子を取得するステップと、
着呼端末の識別子に基づいて、パケット交換ドメインの音声サービスに対応される値タイプを有するコアネットワークドメイン名フィールドを含むページングメッセージを、生成するステップと、
ページングメッセージを着呼端末に送信するステップと
を含む。
【０００６】
オプションとする実施例において、パケット交換ドメインの音声サービスは、ボイス・オーバー・ ロング・ターム・エボリューション（ＶｏＬＴＥ）であり、コアネットワークドメイン名フィールドの値タイプは、パケット交換ドメイン（ＰＳ−ＶｏＬＴＥ）である。
【０００７】
本発明の実施例に係る第２の態様によると、ページング方法を提供する。
上記ページング方法は、
ページングメッセージを受信するステップと、
ページングメッセージを解析してコアネットワークドメイン名フィールドを得るステップと、
コアネットワークドメイン名フィールドの値タイプがパケット交換ドメインの音声サービスに対応されると、パケット交換ドメインの音声サービスに対応される優先レベルである第１優先レベルによって、ページングメッセージを処理するステップと
を含む。
【０００８】
オプションとする実施例において、パケット交換ドメインの音声サービスは、ボイス・オーバー・ ロング・ターム・エボリューション（ＶｏＬＴＥ）であり、コアネットワークドメイン名フィールドの値タイプは、パケット交換ドメイン（ＰＳ−ＶｏＬＴＥ）である。
【０００９】
オプションとする実施例において、第１優先レベルは、パケット交換ドメインのデータサービスに対応される優先レベルである第２優先レベルより高い。
【００１０】
オプションとする実施例において、上記ページング方法は、デュアルカード・デュアルスタンバイ・シングルパス・端末に適用され、
パケット交換ドメインの音声サービスに対応される優先レベルによってページングメッセージを処理するステップは、
ページングメッセージの目標加入者識別モジュール（ＳＩＭ）が第１のＳＩＭカードであり、且つ、アンテナリソースを占用しているＳＩＭカードが第２のＳＩＭカードであると、第１優先レベルが、第２のＳＩＭカードの現在サービスに対応される優先レベルである第３優先レベルより高いか否かを検出するステップと、
第１優先レベルが第３優先レベルより高いと、第１優先レベルによって、アンテナリソースを音声サービスに割り当てるステップと
を含む。
【００１１】
本発明の実施例に係る第３の態様によると、ページング装置を提供する。
上記ページング装置は、
パケット交換ドメインを採用する音声サービスの着呼端末の識別子を取得し、さらに、着呼端末の識別子に基づいて、パケット交換ドメインの音声サービスに対応される値タイプを有するコアネットワークドメイン名フィールドを含むページングメッセージを、生成する処理モジュールと、
ページングメッセージを着呼端末に送信する送信モジュールと
を備える。
【００１２】
オプションとする実施例において、パケット交換ドメインの音声サービスは、ボイス・オーバー・ ロング・ターム・エボリューション（ＶｏＬＴＥ）であり、コアネットワークドメイン名フィールドの値タイプは、パケット交換ドメイン（ＰＳ−ＶｏＬＴＥ）である。
【００１３】
本発明の実施例に係る第４の態様によると、ページング装置を提供する。
上記ページング装置は、
ページングメッセージを受信する受信モジュールと、
ページングメッセージを解析してコアネットワークドメイン名フィールドを得る処理モジュールと
を備え、
処理モジュールは、さらに、コアネットワークドメイン名フィールドの値タイプがパケット交換ドメインの音声サービスに対応されると、パケット交換ドメインの音声サービスに対応される優先レベルである第１優先レベルによって、ページングメッセージを処理する。
【００１４】
オプションとする実施例において、パケット交換ドメインの音声サービスは、ボイス・オーバー・ ロング・ターム・エボリューション（ＶｏＬＴＥ）であり、コアネットワークドメイン名フィールドの値タイプは、パケット交換ドメイン（ＰＳ−ＶｏＬＴＥ）である。
【００１５】
オプションとする実施例において、第１優先レベルは、パケット交換ドメインのデータサービスに対応される優先レベルである第２優先レベルより高い。
【００１６】
オプションとする実施例において、上記ページング装置は、デュアルカード・デュアルスタンバイ・シングルパス・端末であり、
処理モジュールは、さらに、ページングメッセージの目標加入者識別モジュール（ＳＩＭ）が第１のＳＩＭカードであり、且つ、アンテナリソースを占用しているＳＩＭカードが第２のＳＩＭカードであると、第１優先レベルが、第２のＳＩＭカードの現在サービスに対応される優先レベルである第３優先レベルより高いか否かを検出し、第１優先レベルが第３優先レベルより高いと、第１優先レベルによって、アンテナリソースを音声サービスに割り当てる。
【００１７】
本発明の実施例に係る第５の態様によると、ページング装置を提供する。
上記ページング装置は、
プロセッサと、
上記プロセッサが実行可能な命令を記憶するためのメモリと
を備え、
上記プロセッサは、
パケット交換ドメインを採用する音声サービスの着呼端末の識別子を取得し、
着呼端末の識別子に基づいて、パケット交換ドメインの音声サービスに対応される値タイプを有するコアネットワークドメイン名フィールドを含むページングメッセージを、生成し、
ページングメッセージを着呼端末に送信する
ように構成される。
【００１８】
本発明の実施例に係る第６の態様によると、ページング装置を提供する。
上記ページング装置は、
プロセッサと、
上記プロセッサが実行可能な命令を記憶するためのメモリと
を備え、
上記プロセッサは、
ページングメッセージを受信し、
ページングメッセージを解析してコアネットワークドメイン名フィールドを得るし、
コアネットワークドメイン名フィールドの値タイプがパケット交換ドメインの音声サービスに対応されると、パケット交換ドメインの音声サービスに対応される優先レベルである第１優先レベルによって、ページングメッセージを処理する
ように構成される。
【００１９】
本発明の実施例に係る第７の態様によると、ページングシステムを提供する。
上記システムは、
ネットワークアクセスデバイス及び端末を含み、
ネットワークアクセスデバイスは、第３の態様及び第３の態様のオプションとする実施例中に記載のページング装置を含み、端末は、第４の態様及び第４の態様のオプションとする実施例中に記載のページング装置を含むか、
或いは、
ネットワークアクセスデバイスは、第５の態様に記載のページング装置を含み、端末は、第６の態様に記載のページング装置を含む。
【００２０】
本発明の実施例に係る第８の態様によると、プログラムを提供し、当該プログラムは、プロセッサに実行されることにより、上記の第１の態様に記載のページング方法を実現する。
【００２１】
本発明の実施例に係る第９の態様によると、記録媒体を提供し、当該記録媒体には、上記の第８の態様に記載のプログラムが記録されている。
【００２２】
本発明の実施例に係る第１０の態様によると、プログラムを提供し、当該プログラムは、プロセッサに実行されることにより、上記の第２の態様に記載のページング方法を実現する。
【００２３】
本発明の実施例に係る第１１の態様によると、記録媒体を提供し、当該記録媒体には、上記の第１０の態様に記載のプログラムが記録されている。
【００２４】
本発明の実施例が提供する構成の有益な効果は以下のとおりである。
【００２５】
コアネットワークドメイン名フィールドの値タイプを追加して、着呼端末に、上記値タイプによって今回のページングメッセージがＰＳドメインの音声サービスに対応されることを特定するようにすることにより、着呼端末がページングメッセージを処理する優先レベルが足りないことによってＰＳドメインからの音声サービスが漏れて着信できなくなってしまう問題を解決して、着呼端末に、ページング段階で既にサービス種類を特定して、ＰＳドメインの音声サービスを優先に処理できるようにする効果を得た。
【００２６】
以上の統括な記述と以下の細部記述は、ただ例示的なものであり、本発明を制限するものではないと、理解するべきである。
【図面の簡単な説明】
【００２７】
ここでの図面は、明細書に合併されて本明細書の一部を構成して本発明に合致する実施例を示し、明細書とともに本発明の原理の説明するに用いられる。
【００２８】
【図１】図１は、例示的な一実施例に係るページングシステムの構成を示す模式図である。
【図２】図２は、例示的な一実施例に係るネットワークアクセスデバイスの構成を示す模式図である。
【図３】図３は、例示的な一実施例に係る端末の構成を示す模式図である。
【図４】図４は、例示的な一実施例に係る情報送信方法を示すフローチャートである。
【図５】図５は、例示的な一実施例示出供の情報送信方法を示すフローチャートである。
【図６】図６は、例示的な一実施例に係る情報送信装置を示すブロック図である。
【図７】図７は、例示的な一実施例に係る情報送信装置を示すブロック図である。
【発明を実施するための形態】
【００２９】
ここで、例示的な実施例を詳細に説明する。また、説明中の例は、図面に示している。以下の記述において、図面を説明する際に特に説明しない場合、異なる図面中の同一の符号は、同一或は同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３０】
本明細書で言及される「ユニット」は、メモリ中に記憶されてある機能を実現できるプログラム又は命令であり、本明細書で言及される「モジュール」は、ロジックによって分割した機能的な構成である。上記の「モジュール」は、ハードウェアのみによって実現されてもよいし、ソフトウェアとハードウェアの組合せによって実現されてもよい。
【００３１】
本明細書で言及される「複数」は、二つ以上を意味する。「及び／或いは」は、関連される対象の間の関連関係を示す。例えば、Ａ及び／或いはＢは、Ａのみが存在する場合、Ａ及びＢが存在する場合、Ｂのみが存在する場合、などの三つの場合を含む。記号である「／」は、一般的に、前後の関連対象の間が、「或いは」の関係であることを意味する。
【００３２】
本発明は、第１の、第２の、第３の等の用語により各種の情報を説明しているが、それらの情報は上記用語に限られない。これらの用語は、同じ種類の情報同士を区分するためのものに過ぎない。例えば、本発明の範囲から逸脱しない場合、第１優先レベルを第２優先レベルと称しても良いし、同様に、第２優先レベルを第１優先レベルと称しても良い。用語「……場合」は、上下文により、「……時」或は「……と」又は「確定に応じる」に解釈されてもよい。
【００３３】
現在のＬＴＥシステムにおいて、ＰＳドメインは、音声サービスとデータサービスとを提供する。音声サービスは、ＶｏＬＴＥを含み、データサービスは、ウェブページ閲覧サービス、インスタントメッセージサービス、ナビゲーションサービス、等を含む。ＰＳドメインによって、音声サービスを提供する場合にも、データサービスを提供する場合にも、ネットワークアクセスデバイスがページングメッセージを端末に送信する際には、ページングメッセージ中のコアネットワークフィールドの値タイプが、すべて、ＰＳである。
【００３４】
端末がデュアルカード・デュアルスタンバイ・シングルパス・端末であると、デュアルカード・デュアルスタンバイ・シングルパス・端末は、第１のＳＩＭ（ＳｕＢｓｃｒｉＢｅｒ Ｉｄｅｎｔｉｔｙ Ｍｏｄｕｌｅ、加入者識別モジュール）カード及び第２のＳＩＭカードをサポートするが、デュアルカード・デュアルスタンバイ・シングルパス・端末中には一つのアンテナのみ配置されていないため、第１のＳＩＭカード中のサービスの優先レベル及び第２のＳＩＭカード中サービスの優先レベルに基づいて、アンテナリソースの使用権限を、相対的に高い優先レベルを有するサービスに割り当てる。一般的に、ＣＳドメインからのページングサービス、位置情報更新サービス等の、リアルタイムの要求が高いサービスは、一番高い優先レベルを有し、ＰＳドメインからのページングサービスは、それより低い優先レベルを有する。それは、ユーザによってＰＳドメインのデータサービスを、もっと多く使用しているからである。
【００３５】
しかし、一ケースにおいて、例えば、デュアルカード・デュアルスタンバイ・シングルパス・端末中の第２のＳＩＭの位置情報更新サービスがアンテナリソースを占用している時に、第１のＳＩＭカードによってＶｏＬＴＥサービスを採用するページングメッセージを受信すると、第２のＳＩＭカードの位置情報更新サービスは一番高い優先レベルを有し、第１のＳＩＭカードのＶｏＬＴＥサービスを採用するページングメッセージの受信はそれより低い優先レベルを有するから、上記ページングメッセージにアンテナリソースがタイムリーに割り当てられないため、今回のコールがタイムリーに応答できなくなって、漏れて着信できなくなってしまう。このような漏れて着信できない現象は、デュアルカード・デュアルスタンバイ・シングルパス・端末で、アンテナリソースが奪われる確率がもっと大きいため、シングルカード・シングルスタンバイ・端末（ｓｉｎｇｌｅ−ｃａｒｄ ｓｉｎｇｌｅ−ｓｔａｎｄｂｙ ｔｅｒｍｉｎａｌ）よりはるかに高い。以下の実施例において、上記の漏れて着信できない現象の発生を削減する方法を説明する。
【００３６】
図１は、例示的な一実施例によって提供するページングシステムの構成を示す模式図である。上記ページングシステムは、ネットワークアクセスデバイス１２０及び端末１４０を含む。
【００３７】
ネットワークアクセスデバイス１２０は、ページングメッセージを送信し、下りデータ又は命令を送信し、上りデータ又は命令を受信する等の機能を有する。ネットワークアクセスデバイス１２０は、互いに異なるモバイル通信システムにおいて、同一、或いは、同様な機能を有するが、互いに異なる名称を具体的な的な実現態様を有してもよい。オプションとして、ネットワークアクセスデバイス１２０は、グローバルモバイル通信システム（ＧｌｏＢＡｌ Ｓｙｓｔｅｍ ｆｏｒ Ｍｏｂｉｌｅ ｃｏｍｍｕｎｉｃａｔｉｏｎ、ＧＳＭ（登録商標））、或いは、符号分割多重アクセス（Ｃｏｄｅ Ｄｉｖｉｓｉｏｎ Ｍｕｌｔｉｐｌｅ Ａｃｃｅｓｓ、ＣＤＭＡ）中の基地局（ＢＴＳ、Ｂａｓｅ Ｔｒａｎｓｃｅｉｖｅｒ Ｓｔａｔｉｏｎ）である。オプションとして、ネットワークアクセスデバイスは、ユニバーサルモビールテレコミュニケーションシステム（ＵｎｉｖｅｒｓＡｌ Ｍｏｂｉｌｅ ＴｅｌｅｃｏｍｍｕｎｉｃＡｔｉｏｎｓ Ｓｙｓｔｅｍ、ＵＭＴＳ）中の基地局（ＮｏｄｅＢ）である。オプションとして、ネットワークアクセスデバイスは、ロングタームエボリューション（Ｌｏｎｇ Ｔｅｒｍ Ｅｖｏｌｕｔｉｏｎ、ＬＴＥ）中のエボリューション基地局（ｅｖｏｌｕｔｉｏｎａｌ Ｎｏｄｅ Ｂ、ｅＮＢ、或いは、ｅ−ＮｏｄｅＢ）である。実際のネットワーキングにおいて、ネットワークアクセスデバイス１２０の具体的な的な実現態様は、マクロ基地局、ミクロ基地局、ピコ基地局、リピータ等であってもよい。本発明の実施例においては、ネットワークアクセスデバイス１２０の具体的な数及び具体的な配置位置に対して、限定しない。
【００３８】
端末１４０は、上り参照信号を送信し、下り参照信号を受信し、上りデータ又は命令を送信し、下りデータ又は命令を受信する等の機能を有する。端末１４０は、互いに異なるモバイル通信システムにおいて、同一、或いは、同様な機能を有するが、互いに異なる名称を具体的な的な実現態様を有してもよい。オプションとして、端末１４０は、加入者ユニット（ＳｕＢｓｃｒｉＢｅｒ Ｕｎｉｔ）、加入者局（ＳｕＢｓｃｒｉＢｅｒ Ｓｔａｔｉｏｎ）、移動局（Ｍｏｂｉｌｅ Ｓｔａｔｉｏｎ）、移動ステーション（Ｍｏｂｉｌｅ）、リモートステーション（Ｒｅｍｏｔｅ Ｓｔａｔｉｏｎ）、アクセス・ポイント（Ａｃｃｅｓｓ Ｐｏｉｎｔ）、リモート端末（Ｒｅｍｏｔｅ Ｔｅｒｍｉｎａｌ）、アクセス端末（Ａｃｃｅｓｓ Ｔｅｒｍｉｎａｌ）、ユーザ端末（Ｕｓｅｒ ＴｅｒｍｉｎＡｌ）、ユーザーエージェント（Ｕｓｅｒ Ａｇｅｎｔ）、ユーザデバイス（Ｕｓｅｒ Ｄｅｖｉｃｅ）、或いは、ユーザ機器（Ｕｓｅｒ Ｅｑｕｉｐｍｅｎｔ、ＵＥ）であってもよい。実際のネットワーキングにおいて、端末１４０の具体的な的な実現態様は、携帯電話、タブレットＰＣ、スマート家電、インテリジェント計測器、物事のインターネット内のデバイス、車ネットワーク内のデバイス、等であってもよい。本発明の実施例においては、端末１４０の具体的な数及び具体的な配置位置に対して、限定しない。
【００３９】
端末１４０は、一般的に、あるネットワークアクセスデバイス１２０によって提供するコミュニティ中に位置する。端末１４０は、ネットワークアクセスデバイス１２０と通信する際には、ＲＲＣ＿ＣＯＮＮＥＣＴ（接続）状態になり、ＲＲＣ（Ｒａｄｉｏ Ｒｅｓｏｕｒｃｅ Ｃｏｎｔｒｏ、無線リソース制御）接続が構築される。端末１４０は、ネットワークアクセスデバイス１２０と通信する必要がない時には、ＲＲＣ＿ＩＤＬＥ(アイドル)状態になる。
【００４０】
本実施例において、ネットワークアクセスデバイス１２０は、端末１４０がＲＲＣ＿ＩＤＬＥ状態になった後に、ＣＳドメインの音声サービス、即ち、伝統コールが存在すると、ページングメッセージを端末１４０に送信する。ここで、上記ページングメッセージ中のＣｎ−Ｄｏｍａｉｎの値タイプは、ＣＳである。
【００４１】
ネットワークアクセスデバイス１２０は、端末１４０がＲＲＣ＿ＩＤＬＥ状態になった後に、ＰＳドメインの音声サービス、即ち、ＶｏＬＴＥコールが存在すると、ページングメッセージを端末１４０に送信する。ここで、上記ページングメッセージ中のＣｎ−Ｄｏｍａｉｎの値タイプは、ＰＳ−ＶｏＬＴＥである。このように、端末１４０に、ＰＳ−ＶｏＬＴＥによって、今回のページングメッセージがＶｏＬＴＥサービスによってトリガされたことを特定して、優先レベル高めて処理を行うようにすることができる。
【００４２】
ネットワークアクセスデバイス１２０は、ＰＳドメインのデータサービスが存在すると、ページングメッセージを端末１４０に送信し、ここで、上記ページングメッセージ中のＣｎ−Ｄｏｍａｉｎの値タイプは、ＰＳ、或いは、ＰＳ−Ｄａｔａである。
【００４３】
図２は、例示的な一実施例によって提供するネットワークアクセスデバイス１２０の構成を示す模式図である。上記ネットワークアクセスデバイス１２０は、プロセッサ２１、メモリ２２、送信機２３及び受信機２４を含む。
プロセッサ２１は、メモリ２２と接続されている。
【００４４】
プロセッサ２１は、一つ以上のプロセッシングコアを含み、ソフトウェアプログラム及びユニットを運行させて、各種の機能ＡＰＰ及び情報処理を実行する。
【００４５】
メモリ２２は、ソフトウェアプログラム及びユニットを記憶する。メモリ２２は、ＯＳ２４、少なくとも一つの機能に必要なＡＰＰユニット２５を記憶してもよい。
【００４６】
ＡＰＰユニット２５は、処理ユニット及び送信ユニットを含む。処理ユニットは、ＰＳドメインを採用する音声サービスの着呼端末の識別子を取得し、着呼端末の識別子に基づいて、パケット交換ドメインの音声サービスに対応される値タイプを有するコアネットワークドメイン名フィールドを含むページングメッセージを、生成する。送信ユニットは、ページングメッセージを着呼端末に送信する。
【００４７】
なお、メモリ２２は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００４８】
送信機２３は、変復調ユニット及びアンテナを含む。オプションとして、アンテナは、複数入力複数出力（Ｍｕｌｔｉｐｌｅ Ｉｎｐｕｔ Ｍｕｌｔｉｐｌｅ Ｏｕｔｐｕｔ、ＭＩＭＯ）アンテナであり、ＭＩＭＯアンテナは、マルチアンテナポートの送受信をサポートするアンテナである。オプションとして、ＭＩＭＯアンテナは、少なくとも二つの送信アンテナを含む。
【００４９】
受信機２６は、送信機２３と同一な構成或いは同様な構成を有する。オプションとして、受信機２６は、変復調ユニット及びアンテナを含む。オプションとして、アンテナは、ＭＩＭＯアンテナであり、少なくとも二つの受信アンテナを含む。
【００５０】
同業者は、図２に示したネットワークアクセスデバイス１２０の構成は、ネットワークアクセスデバイス１２０を限定するものではなく、図面に示した部品よりもっと多い部品、もっと少ない部品、その中の部分の組み合わせ、或いは、互いに異なる部品から、構成されてもよいことを、理解すべきである。
【００５１】
図３は、例示的な一実施例によって提供する端末１４０の構成を示す模式図である。上記端末１４０は、プロセッサ３１、メモリ３２、受信機３３及び送信機３４を含む。
【００５２】
プロセッサ３１は、メモリ３２と接続されている。
プロセッサ３１は、一つ以上のプロセッシングコアを含み、ソフトウェアプログラム及びユニットを運行させて、各種の機能ＡＰＰ及び情報処理を実行する。
【００５３】
メモリ３２ソフトウェアプログラム及びユニットを記憶する。メモリ３２は、ＯＳ３５、少なくとも一つの機能に必要なＡＰＰユニット３６を記憶してもよい。
【００５４】
ＡＰＰユニット３６は、ページングメッセージを受信する受信ユニットと、ページングメッセージを解析してコアネットワークドメイン名フィールドを得る処理ユニットとを含み、処理ユニットは、さらに、コアネットワークドメイン名フィールドの値タイプがパケット交換ドメインの音声サービスに対応されると、ＰＳドメインの音声サービスに対応される優先レベルである第１優先レベルによって、ページングメッセージを処理する。
【００５５】
なお、メモリ３２は、いずれの種類の揮発性メモリ、不揮発性メモリ記憶デバイスまたはそれらの組み合わせによって実現されてもよく、例えば、ＳＲＡＭ（ＳｔａｔｉｃＲａｎｄｏｍＡｃｃｅｓｓＭｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００５６】
受信機３３は、変復調ユニット及びアンテナを含む。オプションとして、アンテナは、複数入力複数出力アンテナであり、ＭＩＭＯアンテナは、マルチアンテナポートの送受信をサポートするアンテナである。オプションとして、ＭＩＭＯアンテナは、少なくとも二つの受信アンテナを含む。
【００５７】
送信機３６は、受信機３３と同一な構成或いは同様な構成を有する。オプションとして、送信機３６は、変復調ユニット及びＭＩＭＯアンテナを含み、オプションとして、ＭＩＭＯアンテナは、少なくとも二つの送信アンテナを含む。
【００５８】
オプションとする実施例において、端末１４０は、二つのＳＩＭカードスロット３７を、さらに、含み、二つのＳＩＭカードスロット３７によって、デュアルカード・デュアルスタンバイ・シングルパス・機能をサポートする。
【００５９】
同業者は、図３に示した端末１４０の構成は、端末１４０を限定するものではなく、図面に示した部品よりもっと多い部品、もっと少ない部品、その中の部分の組み合わせ、或いは、互いに異なる部品から、構成されてもよいことを、理解すべきである。
【００６０】
図４は、例示的な一実施例によって提供するページング方法を示すフローチャートである。本実施例において、上記のページング方法は、図１に示したページングシステム中に適用される。上記ページング方法は、以下のステップを含む。
【００６１】
ステップ４０１において、ネットワークアクセスデバイスにより、ＰＳドメインを採用する音声サービスの着呼端末の識別子を取得する。
【００６２】
ステップ４０２において、ネットワークアクセスデバイスにより、着呼端末の識別子に基づいて、ＰＳドメインの音声サービスに対応される値タイプを有するコアネットワークドメイン名フィールドを含むページングメッセージを、生成する。
【００６３】
ステップ４０３において、ネットワークアクセスデバイスにより、ページングメッセージを着呼端末に送信する。
【００６４】
ステップ４０４において、着呼端末により、ページングメッセージを受信する。
【００６５】
ステップ４０５において、着呼端末により、ページングメッセージを解析してコアネットワークドメイン名フィールドを得る。
【００６６】
ステップ４０６において、コアネットワークドメイン名フィールドの値タイプがＰＳドメインの音声サービスに対応されると、ＰＳドメインの音声サービスに対応される優先レベルである第１優先レベルによって、ページングメッセージを処理する。
【００６７】
上記のように、本実施例によって提供するページング方法によると、コアネットワークドメイン名フィールドの値タイプを追加して、着呼端末に、上記値タイプによって今回のページングメッセージがＰＳドメインの音声サービスに対応されることを特定するようにすることにより、着呼端末がページングメッセージを処理する優先レベルが足りないことによってＰＳドメインからの音声サービスが漏れて着信できなくなってしまう問題を解決して、着呼端末に、ページング段階で既にサービス種類を特定して、ＰＳドメインの音声サービスを優先に処理できるようにする効果を得た。
【００６８】
図５は、例示的な一実施例によって提供するページング方法を示すフローチャートである。本実施例において、上記ページング方法は、図１に示したページングシステム中に適用される。上記ページングシステム中の端末１４０は、デュアルカード・デュアルスタンバイ・シングルパス・端末である。上記ページング方法は、以下のステップを含む。
【００６９】
ステップ５０１において、ネットワークアクセスデバイスにより、ＰＳドメインを採用する音声サービスの着呼端末の識別子を取得する。
【００７０】
発呼端末は、ＰＳドメインの音声サービスを採用して、着呼端末をコールすることになる。ネットワークアクセスデバイスは、発呼端末のコールを受信した後に、着呼端末の識別子を取得する。
【００７１】
オプションとして、ＬＴＥ通信システムにおいて、ＰＳドメインの音声サービスは、ＶｏＬＴＥサービスを意味する。その他の通信システムにおいては、その他の種類のＰＳドメインの音声サービスが存在する可能もある。
【００７２】
オプションとして、着呼端末の識別子は、ＩＭＥＩ（Ｉｎｔｅｒｎａｔｉｏｎａｌ Ｍｏｂｉｌｅ Ｅｑｕｉｐｍｅｎｔ Ｉｄｅｎｔｉｔｙ、国際モバイルデバイス識別子）である。着呼端末がデュアルカード・デュアルスタンバイ・シングルパス・端末であると、着呼端末中の各ＳＩＭは、それぞれ、一つの識別子を有する。
【００７３】
ステップ５０２において、ネットワークアクセスデバイスにより、着呼端末の識別子に基づいて、ＰＳドメインの音声サービスに対応される値タイプを有するコアネットワークドメイン名フィールドを含むページングメッセージを、生成する。
【００７４】
例えば、ページングメッセージのフォーマットは、以下のとおりである。
Ｍｅｓｓａｇｅ ｃｌ：ｐａｇｉｎｇ：
{
ｐａｇｉｎｇＲｅｃｏｒｄＬｉｓｔ
{
{
Ｕｅ−Ｉｄｅｎｔｉｔｙ ｓ−ＴＭＳＩ；
Ｃｎ−Ｄｏｍａｉｎ；
}
}
}
【００７５】
ここで、ｐａｇｉｎｇは、上記メッセージがページングメッセージであることを代表する。Ｕｅ−Ｉｄｅｎｔｉｔｙフィールドは、着呼端末の識別子である。ページングメッセージ中で、着呼端末の識別子は、Ｓ−ＴＭＳＩ（ＳＡＥ−Ｔｅｍｐｏｒａｒｙ Ｍｏｂｉｌｅ Ｓｕｂｓｃｒｉｂｅｒ Ｉｄｅｎｔｉｔｙ、Ｓ−一時的モバイル加入者ＩＤ）を採用して示す。Ｃｎ−Ｄｏｍａｉｎフィールドは、コアネットワークドメイン名フィールドである。
【００７６】
本実施例において、Ｃｎ−Ｄｏｍａｉｎフィールドは、ＣＳ、ＰＳ−ＶｏＬＴＥ、ＰＳのような三つの種類の値タイプを有する。ＣＳドメインからのコールサービスが存在すると、Ｃｎ−Ｄｏｍａｉｎフィールドの値タイプはＣＳであり、ＰＳドメインからのコールサービスが存在すると、Ｃｎ−Ｄｏｍａｉｎフィールドの値タイプはＰＳ−ＶｏＬＴＥであり、ＰＳドメインからのデータサービスが存在すると、Ｃｎ−Ｄｏｍａｉｎフィールドの値タイプはＰＳである。
【００７７】
例示的にＰＳ−ＶｏＬＴＥを採用してＰＳドメインの音声サービスに対応される値タイプとしたが、本実施例では、値タイプの具体的な形式に対して限定しなく、さらに、ＶｏＬＴＥ、ＰＳ−ＶｏＬＴＥ、ＰＳ−Ｖｏｉｃｅ等のような他の文字列を採用してもよいし、Ｃｎ−Ｄｏｍａｉｎフィールドの値タイプがＰＳドメインの音声サービスに対応されることを示すことができればよいことを、説明する必要がある。
【００７８】
ステップ５０３において、ネットワークアクセスデバイスにより、ページングメッセージを着呼端末に送信する。
【００７９】
オプションとして、ＬＴＥシステムにおいて、ネットワークアクセスデバイスは、事前に設定したモニタリング時間帯で、ページングメッセージを着呼端末に送信する。着呼端末は、モニタリングの方式によって、ページングメッセージを受信する。
【００８０】
オプションとして、ネットワークアクセスデバイスは、まず、ＰＤＣＣＨ（Ｐｈｙｓｉｃａｌ Ｄｏｗｎｌｉｎｋ Ｃｏｎｔｒｏｌ Ｃｈａｎｎｅｌ、物理ダウンリンク制御チャネル）を通じて、着呼端末に対応されるＰ−ＲＮＴＩ（Ｐ Ｃｅｌｌ Ｒａｄｉｏ Ｎｅｔｗｏｒｋ Ｔｅｍｐｏｒａｒｙ Ｉｄｅｎｔｉｆｉｅｒ、Ｐ−セル無線ネットワーク一時識別子）を送信する。上記Ｐ−ＲＮＴＩは、今回のページング周期に、着呼端末に対応されるページングメッセージが存在することを示す。
【００８１】
続いて、ネットワークアクセスデバイスは、ＰＤＳＣＨ（Ｐｈｙｓｉｃａｌ Ｄｏｗｎｌｉｎｋ Ｓｈａｒｅｄ Ｃｈａｎｎｅｌ、物理ダウンリンク共有チャネル）を通じて、ページングメッセージを着呼端末に送信する。
【００８２】
オプションとして、上記ページングメッセージには、着呼端末の識別子、及び、Ｃｎ−Ｄｏｍａｉｎ（ＰＳ−ＶｏＬＴＥ）が付加されている。
【００８３】
ステップ５０４において、着呼端末により、ページングメッセージを受信する。
【００８４】
オプションとして、着呼端末は、事前に設定したモニタリング時間帯で、ＰＤＣＣＨから、自身に対応されるＰ−ＲＮＴＩが存在するか否かをモニタリングし、自身に対応されるＰ−ＲＮＴＩが存在すると、自分に対応されるページングメッセージが存在すると特定する。
【００８５】
続いて、着呼端末は、ＰＤＣＣＨ上で指示したＰＤＳＣＨのパラメータによって、ＰＤＳＣＨから自身に対応されるページングメッセージを受信する。上記ＰＤＳＣＨのパラメータは、ネットワークアクセスデバイスが端末にページングメッセージをどのように受信するかを知らせるためのパラメータであり、例えば、ＰＤＳＣＨ上のページングメッセージが位置する時間周波数リソース位置、デコーディング方式、等を含む。
【００８６】
ステップ５０５において、着呼端末により、ページングメッセージを解析してコアネットワークドメイン名フィールドを得る。
【００８７】
着呼端末は、ページングメッセージを受信した後、ページングメッセージを解析してＣｎ−Ｄｏｍａｉｎフィールドを得る。上記Ｃｎ−Ｄｏｍａｉｎフィールドの値タイプは、ＣＳ、ＰＳ−ＶｏＬＴＥ、ＰＳの中のいずれか１種である。ここで、ＣＳはＣＳドメインの音声サービスを代表し、ＰＳ−ＶｏＬＴＥはＰＳドメインの音声サービスを代表し、ＰＳはＰＳドメインのデータサービスを代表する。ＰＳを、ＰＳ−Ｄａｔａに切り替えしてもよい。
【００８８】
着呼端末は、各値タイプのページングメッセージ毎に、互いに異なる処理優先レベルを有する。もし、ＰＳ−ＶｏＬＴＥに対応される第１優先レベルが存在し、ＰＳに対応される第２優先レベルが存在すると、想定する。音声サービスの処理優先レベルがデータサービスの優先レベルよりたかいため、第１優先レベルは、第２優先レベルより高い。
【００８９】
当然ながら、端末中のサービス種類は、たくさんあり、表１は、ただ、何種のサービスと優先レベルとの間の対応関係を例示的に示して説明するものである。サービスと優先レベルとの間の対応関係の具体的な形式、或いは、対応方式に対しては、限定しない。
【表１】
0006442600.tif 000002
【００９０】
コアネットワークドメイン名フィールドの値タイプがＰＳドメインの音声サービスに対応されると、ステップ５０６に進む。
【００９１】
ステップ５０６において、ページングメッセージの目標ＳＩＭが第１のＳＩＭカードであり、且つ、アンテナリソースを占用しているＳＩＭカードが第２のＳＩＭカードであると、第１優先レベルが、第２のＳＩＭカードの現在サービスに対応される優先レベルである第３優先レベルより高いか否かを検出する。
【００９２】
端末中のアンテナリソースが第２のＳＩＭカードに占用されている場合、第２のＳＩＭのサービスは、ＣＳドメインの音声サービス、位置情報更新サービス、等の相対的に高い優先レベルを有するサービスである可能があるし、ＰＳドメインのデータサービス等のような相対的に低い優先レベルを有するサービスである可能もある。
【００９３】
端末は、第１のＳＩＭカードの第１優先レベル及び第２のＳＩＭカードの第３優先レベルの高さを判断する必要があり、第１優先レベルが第３優先レベルより高いと、ステップ５０７に進み、第１優先レベルが第３優先レベルより低いと、上記のページングメッセージを遅延させて処理する。
【００９４】
ステップ５０７において、第１優先レベルが第３優先レベルより高いと、第１優先レベルによって、アンテナリソースを上記音声サービスに割り当てる。
【００９５】
端末は、第１優先レベルによって、アンテナリソースをＶｏＬＴＥに割り当てて、今回のページングメッセージがなるべく速く応答を得るようにして、ＶｏＬＴＥのサービスの接続をなるべく早く構築されるようにする。
【００９６】
上記のように、本実施例によって提供するページング方法によると、コアネットワークドメイン名フィールドの値タイプを追加して、着呼端末に、上記値タイプによって今回のページングメッセージがＰＳドメインの音声サービスに対応されることを特定するようにすることにより、着呼端末がページングメッセージを処理する優先レベルが足りないことによってＰＳドメインからの音声サービスが漏れて着信できなくなってしまう問題を解決して、着呼端末に、ページング段階で既にサービス種類を特定して、ＰＳドメインの音声サービスを優先に処理できるようにする効果を得た。
【００９７】
本実施例によって提供するページング方法を、デュアルカード・デュアルスタンバイ・シングルパス・端末に適用すると、デュアルカード・デュアルスタンバイ・シングルパス・端末がＶｏＬＴＥコールを漏れて着信できなくなる問題を有効に避けることができて、デュアルカード・デュアルスタンバイ・シングルパス・端末がＶｏＬＴＥコールを漏れて着信できなくなることを削減するか又は避けて、ＶｏＬＴＥがタイムリーに応答されるようにして、高品質の音声通話を実現した。
【００９８】
上記の各方法の実施例で端末によって実行されるステップは、端末側のページング方法として別途に実現されて、端末中のプロセッサによりメモリ中の命令を実行することにより実現できるし、ネットワークアクセスデバイスによって実行されるステップは、ネットワークアクセスデバイス側のページング方法として別途に実現されて、ネットワークアクセスデバイス中のプロセッサによりメモリ中の命令を実行することにより実現できることを説明する必要がある、
【００９９】
以下は、本発明の装置の実施例であり、本発明の方法の実施例を実行することができる。本発明の装置の実施例において記述していない細部内容に対しては、本発明の方法の実施例を参照してください。
【０１００】
図６は、例示的な一実施例によって提供するページング装置の構成を示す模式図である。上記ページング装置は、専用ハードウェア回路、或いは、ソフトウェアとハードウェアを組み合わせて、図１中のネットワークアクセスデバイスの全部又は一部を実現する。
【０１０１】
上記ページング装置は、
パケット交換ドメインを採用する音声サービスの着呼端末の識別子を取得し、さらに、着呼端末の識別子に基づいて、パケット交換ドメインの音声サービスに対応される値タイプを有するコアネットワークドメイン名フィールドを含むページングメッセージを、生成する処理モジュール６２０と、
ページングメッセージを着呼端末に送信する送信モジュール６４０と
を備える。
【０１０２】
オプションとする実施例において、パケット交換ドメインの音声サービスは、ＶｏＬＴＥであり、コアネットワークドメイン名フィールドの値タイプは、パケット交換ドメイン（ＰＳ−ＶｏＬＴＥ）である。
【０１０３】
上記のように、本実施例提供のページング装置、コアネットワークドメイン名フィールドの値タイプを追加して、着呼端末に、上記値タイプによって今回のページングメッセージがＰＳドメインの音声サービスに対応されることを特定するようにすることにより、着呼端末がページングメッセージを処理する優先レベルが足りないことによってＰＳドメインからの音声サービスが漏れて着信できなくなってしまう問題を解決して、着呼端末に、ページング段階で既にサービス種類を特定して、ＰＳドメインの音声サービスを優先に処理できるようにする効果を得た。
【０１０４】
図７は、例示的な一実施例によって提供するページング装置の構成を示す模式図である。上記ページング装置は、専用ハードウェア回路、或いは、ソフトウェアとハードウェアを組み合わせて、図１中の端末の全部又は一部を実現する。
【０１０５】
上記ページング装置は、
ページングメッセージを受信する受信モジュール７２０と、
ページングメッセージを解析してコアネットワークドメイン名フィールドを得る処理モジュール７４０と
を備え、
処理モジュール７４０は、さらに、コアネットワークドメイン名フィールドの値タイプがパケット交換ドメインの音声サービスに対応されると、パケット交換ドメインの音声サービスに対応される優先レベルである第１優先レベルによって、ページングメッセージを処理する。
【０１０６】
オプションとする実施例において、パケット交換ドメインの音声サービスは、ボイス・オーバー・ ロング・ターム・エボリューション（ＶｏＬＴＥ）であり、コアネットワークドメイン名フィールドの値タイプは、パケット交換ドメイン（ＰＳ−ＶｏＬＴＥ）である。
【０１０７】
オプションとする実施例において、第１優先レベルは、パケット交換ドメインのデータサービスに対応される優先レベルである第２優先レベルより高い。
【０１０８】
オプションとする実施例において、上記ページング装置は、デュアルカード・デュアルスタンバイ・シングルパス・端末であり、
処理モジュール７４０は、さらに、ページングメッセージの目標加入者識別モジュール（ＳＩＭ）が第１のＳＩＭカードであり、且つ、アンテナリソースを占用しているＳＩＭカードが第２のＳＩＭカードであると、第１優先レベルが、第２のＳＩＭカードの現在サービスに対応される優先レベルである第３優先レベルより高いか否かを検出し、第１優先レベルが第３優先レベルより高いと、第１優先レベルによって、アンテナリソースを音声サービスに割り当てる。
【０１０９】
上記のように、本実施例によって提供するページング装置によると、コアネットワークドメイン名フィールドの値タイプを追加して、着呼端末に、上記値タイプによって今回のページングメッセージがＰＳドメインの音声サービスに対応されることを特定するようにすることにより、着呼端末がページングメッセージを処理する優先レベルが足りないことによってＰＳドメインからの音声サービスが漏れて着信できなくなってしまう問題を解決して、着呼端末に、ページング段階で既にサービス種類を特定して、ＰＳドメインの音声サービスを優先に処理できるようにする効果を得た。
【０１１０】
本実施例によって提供するページング装置を、デュアルカード・デュアルスタンバイ・シングルパス・端末に適用すると、デュアルカード・デュアルスタンバイ・シングルパス・端末がＶｏＬＴＥコールを漏れて着信できなくなる問題を有効に避けることができて、デュアルカード・デュアルスタンバイ・シングルパス・端末がＶｏＬＴＥコールを漏れて着信できなくなることを削減するか又は避けて、ＶｏＬＴＥがタイムリーに応答されるようにして、高品質の音声通話を実現した。
【０１１１】
上記の実施例の装置について、その各モジュールが実行する操作の具体的な形態は既に当該方法に関する実施例において詳細に説明したため、ここでは詳細に説明しない。
【０１１２】
当業者は、明細書を検討して本発明を実施した後、本発明の他の実施例を容易に考え出すことができる。本願は、本発明のいずれの変形、用途、又は適応的な変更をカバーすることを意図しており、これらの変形、用途、又は適応的な変更は、本発明の一般的な原理に従い、また、本発明は公開していない当該技術分野の公知の知識又は通常の技術手段を含む。明細書と実施例はただ例示として考慮され、本発明の本当の範囲と趣旨は以下の特許請求の範囲に記載される。
【０１１３】
本発明は上記に記述され、また図面で示した厳密な構成に限定されず、その範囲を逸脱しない限り多様な置換えと変更を行うことができると、理解されるべきである。本発明の範囲は添付の特許請求の範囲のみにより限定される。
【図１】
0006442600.tif 000003
【図２】
0006442600.tif 000004
【図３】
0006442600.tif 000005
【図４】
0006442600.tif 000006
【図５】
0006442600.tif 000007
【図６】
0006442600.tif 000008
【図７】
0006442600.tif 000009